(57)【要約】【課題】内部への異物の侵入を抑制しつつ、仕様違いのワイヤーハーネスを保護できるようにすること。【解決手段】プロテクタ１０は、ワイヤーハーネスを外部から保護する部材である。このプロテクタ１０は、ワイヤーハーネスの幹線１４を収容可能で、ワイヤーハーネスの幹線１４から分岐する分岐線を挿通可能な分岐線挿通孔部２８が側部に形成された幹線収容部２０と、分岐線挿通孔部２８を開閉可能な蓋部３２とを備えている。【選択図】図８
2014110722.tif 000002
【特許請求の範囲】
【請求項１】
ワイヤーハーネスを外部から保護するプロテクタであって、
前記ワイヤーハーネスの幹線を収容可能で、前記ワイヤーハーネスの前記幹線から分岐する分岐線を挿通可能な分岐線挿通孔部が側部に形成された幹線収容部と、
前記分岐線挿通孔部を開閉可能な蓋部と、
を備えている、プロテクタ。
【請求項２】
請求項１に記載のプロテクタであって、
前記蓋部は、前記分岐線挿通孔部の開口縁部の一部に連続して形成されている、プロテクタ。
【請求項３】
請求項１又は請求項２に記載のプロテクタであって、
前記分岐線挿通孔部の開口縁部から前記幹線収容部の側方に延出すると共に側部に開口部が形成された分岐延出部をさらに備え、
前記蓋部は、前記分岐延出部の前記開口部を閉じる姿勢と、前記分岐線挿通孔部を閉じる姿勢とで姿勢変更可能に形成され、
前記分岐延出部と前記蓋部とは、前記蓋部が前記開口部を閉じる姿勢で、前記ワイヤーハーネスの前記分岐線を収容可能な分岐線収容部を構成する、プロテクタ。
【請求項４】
請求項３に記載のプロテクタであって、
前記分岐延出部は、前記幹線収容部から切り離し可能に形成されている、プロテクタ。
【請求項５】
請求項４に記載のプロテクタであって、
前記分岐延出部と前記幹線収容部との境界部分には、破線状に複数の切取孔部が形成されている、プロテクタ。
【請求項６】
請求項４又は請求項５に記載のプロテクタであって、
前記分岐延出部と前記幹線収容部との境界部分は、薄肉に形成されている、プロテクタ。
【発明の詳細な説明】
【技術分野】
【０００１】
この発明は、ワイヤーハーネスを保護する技術に関する。
【背景技術】
【０００２】
ワイヤーハーネスを車両等に配索する際、ワイヤーハーネスを外部から保護するために部分的に特許文献１に開示されているようなプロテクタに該ワイヤーハーネスを収容することがある。
【先行技術文献】
【特許文献】
【０００３】
【特許文献１】特開２０１１−２３４４７４号公報
【発明の概要】
【発明が解決しようとする課題】
【０００４】
ところで、ワイヤーハーネスは、同車種であっても、配索される車両の仕様が異なると回路数が増減することもある。例えば、一方の仕様の車両では幹線だけが配索される部分で、他方の仕様の車両では幹線から分岐する分岐線を有して配索されることもある。そして、このワイヤーハーネスの仕様違いに対して、設計から製造までの工程を別々にする手間をなるべく省けることが好ましい。
【０００５】
例えば、ワイヤーハーネスの仕様違いに対しては、次のような対応をとることがある。すなわち、分岐線を有するワイヤーハーネスに適用するために、プロテクタのうちの幹線から分岐線が分岐する部分に枝線挿通用の孔部を形成しておいてもよい。しかしながら、枝線を有さない仕様のワイヤーハーネスに適用する際には、孔部が開放されたままとなり、孔部を通じて埃や水等の異物がプロテクタの内部に侵入する恐れがあった。
【０００６】
埃や水の侵入を防ぐため、孔部を有する形状と孔部がない形状とを、１つの金型に対して部分的に入替可能な入れ子型を入れ替えることで作り分けてもよい。しかしながら、この方法を採用しても、仕様違いのワイヤーハーネスごとにプロテクタを作り分けるため、手間が掛かってしまう。
【０００７】
そこで、本発明は、内部への異物の侵入を抑制しつつ、仕様違いのワイヤーハーネスを保護できるようにすることを目的とする。
【課題を解決するための手段】
【０００８】
第１の態様は、ワイヤーハーネスを外部から保護するプロテクタであって、前記ワイヤーハーネスの幹線を収容可能で、前記ワイヤーハーネスの前記幹線から分岐する分岐線を挿通可能な分岐線挿通孔部が側部に形成された幹線収容部と、前記分岐線挿通孔部を開閉可能な蓋部とを備えている。
【０００９】
第２の態様は、第１の態様に係るプロテクタであって、前記蓋部は、前記分岐線挿通孔部の開口縁部の一部に連続して形成されている。
【００１０】
第３の態様は、第１又は第２の態様に係るプロテクタであって、前記分岐線挿通孔部の開口縁部から前記幹線収容部の側方に延出すると共に側部に開口部が形成された分岐延出部をさらに備え、前記蓋部は、前記分岐延出部の前記開口部を閉じる姿勢と、前記分岐線挿通孔部を閉じる姿勢とで姿勢変更可能に形成され、前記分岐延出部と前記蓋部とは、前記蓋部が前記開口部を閉じる姿勢で、前記ワイヤーハーネスの前記分岐線を収容可能な分岐線収容部を構成する。
【００１１】
第４の態様は、第３の態様に係るプロテクタであって、前記分岐延出部は、前記幹線収容部から切り離し可能に形成されている。
【００１２】
第５の態様は、第４の態様に係るプロテクタであって、前記分岐延出部と前記幹線収容部との境界部分には、破線状に複数の切取孔部が形成されている。
【００１３】
第６の態様は、第４又は第５の態様に係るプロテクタであって、前記分岐延出部と前記幹線収容部との境界部分は、薄肉に形成されている。
【発明の効果】
【００１４】
第１の態様に係るプロテクタによると、分岐線を含むワイヤーハーネスを保護する場合には、幹線を幹線収容部内に収容すると共に分岐線を分岐線挿通孔部に挿通して蓋部により分岐線挿通孔部を開状態に維持し、分岐線を含まないワイヤーハーネスを保護する場合には、幹線を幹線収容部内に収容して蓋部により分岐線挿通孔部を閉状態にする。これにより、内部への異物の侵入を抑制しつつ、仕様違いのワイヤーハーネスを保護できるようにすることができる。
【００１５】
第２の態様に係るプロテクタによると、蓋部が分岐線挿通孔部に連続して形成されているため、金型成型する部品点数をなるべく少なくすることができる。
【００１６】
第３の態様に係るプロテクタによると、蓋部が分岐線挿通孔部を閉じる役割と分岐線収容部の一部分を構成する役割とを兼ねるため、分岐線を含まないワイヤーハーネスを保護する場合に余分な部分をなるべく小さくすることができる。
【００１７】
第４の態様に係るプロテクタによると、分岐線を含まないワイヤーハーネスを保護する場合に余分な分岐延出部を幹線収容部から切り離して使用することができる。
【００１８】
第５の態様に係るプロテクタによると、分岐延出部を分岐延出部と幹線収容部との境界部分でより容易に切り離すことができる。
【００１９】
第６の態様に係るプロテクタによると、分岐延出部を分岐延出部と幹線収容部との境界部分でより容易に切り離すことができる。
【図面の簡単な説明】
【００２０】
【図１】プロテクタの斜視図である。
【図２】蓋部の斜視図である。
【図３】第１部材の平面図である。
【図４】分岐延出部と幹線収容部との境界部分を示す平面図である。
【図５】図４のＶ−Ｖ線断面図である。
【図６】第１ワイヤーハーネスを保護する形態のプロテクタの斜視図である。
【図７】図６の形態における第１部材の平面図である。
【図８】分岐延出部を切り離す動作を示す図である。
【図９】第２ワイヤーハーネスを保護する形態のプロテクタの斜視図である。
【図１０】図９の形態における第１部材の平面図である。
【図１１】分岐延出部と幹線収容部との境界部分の変形例を示す平面図である。
【図１２】図１１のＸＩＩ−ＸＩＩ線断面図である。
【発明を実施するための形態】
【００２１】
以下、実施形態に係るプロテクタ１０について説明する（図１参照）。このプロテクタ１０は、ワイヤーハーネスを外部から保護する部材である。
【００２２】
説明の便宜上、プロテクタ１０の保護対象であるワイヤーハーネスについて説明しておく。ワイヤーハーネスは、例えば、車両に配索される複数の電線等が結束されて構成される。そして、ワイヤーハーネスは、所定の配索経路に沿った配索形態に組み立てられ、車両に配索される。また、ワイヤーハーネスは、配索経路によっては、周辺部材等から部分的又は全体的に保護される。
【００２３】
ワイヤーハーネスは、同車種に配索されるものであっても、車両の仕様によっては回路数が異なって配索形態も異なることがある。ここでは、保護対象部分に分岐部分を含む第１ワイヤーハーネス１２１（図６参照）と、保護対象部分が分岐部分を含まない第２ワイヤーハーネス１２２（図９参照）とを保護する例でプロテクタ１０について説明していく。
【００２４】
第１ワイヤーハーネス１２１は、保護対象部分が幹線１４から１本の分岐線１６が分岐して形成されているものとする。一方、第２ワイヤーハーネス１２２は、保護対象部分が幹線１４で形成されているものとする。以下、第１ワイヤーハーネス１２１及び第２ワイヤーハーネス１２２の両方を指す場合、単にワイヤーハーネス１２１、１２２と呼ぶことがある。
【００２５】
プロテクタ１０は、幹線収容部２０と、蓋部３２と、分岐延出部４２とを備えている。そして、分岐延出部４２と蓋部３２とは、分岐線収容部３０を構成している。
【００２６】
幹線収容部２０は、各ワイヤーハーネス１２１、１２２の幹線１４を収容可能に形成されている（図６、図９参照）。この幹線収容部２０は、本体部２２と、第１保持部２４とを有している。
【００２７】
本体部２２は、幹線１４の配索経路に沿って延在する筒形状（ここでは角筒形状）に形成されている。すなわち、幹線収容部２０は、本体部２２の内側に収容される幹線１４を配索経路に沿った形状に維持する。また、幹線収容部２０の本体部２２には、第２ワイヤーハーネス１２２の幹線１４から分岐する分岐線１６を挿通可能な分岐線挿通孔部２８が形成されている。ここでは、分岐線挿通孔部２８は、本体部２２の側部で矩形に開口している。また、分岐線挿通孔部２８は、蓋部３２の本体部３４より僅かに大きい大きさに形成されている。
【００２８】
また、第１保持部２４は、蓋部３２を閉状態に維持する部分である（図９、図１０参照）。この第１保持部２４は、蓋部３２の後述する開閉維持部３６を保持可能に形成されている。第１保持部２４の構成については、蓋部３２の開閉動作の説明と併せて後で詳述する。
【００２９】
分岐線収容部３０は、第２ワイヤーハーネス１２１の分岐線１６を収容可能に形成されている（図６、図７参照）。この分岐線収容部３０は、分岐線挿通孔部２８の開口縁部から幹線収容部２０の側方に延出する形状に形成されている。より具体的には、分岐線収容部３０は、幹線収容部２０の内部空間と連通して、分岐線１６の配索経路に沿って延在する筒形状（ここでは角筒形状）に形成されている。すなわち、分岐線収容部３０は、内側に収容される分岐線１６を配索経路に沿った形状に維持する。
【００３０】
蓋部３２は、分岐線挿通孔部２８を開閉可能に形成されている（図８、図９参照）。すなわち、蓋部３２は、プロテクタ１０により第１ワイヤーハーネス１２１を保護する場合には、分岐線挿通孔部２８を開状態にして、分岐線１６を分岐線挿通孔部２８を通じて幹線収容部２０から分岐線収容部３０内に収容する。一方、プロテクタ１０により第２ワイヤーハーネス１２２を保護する場合には、分岐線挿通孔部２８を閉状態にして、分岐線挿通孔部２８を通じて幹線収容部２０内の幹線１４が外方に露出しないようにする。
【００３１】
この蓋部３２は、本体部３４と、開閉維持部３６とを有している。本体部３４は、分岐線挿通孔部２８を閉塞可能な板形状（ここでは矩形板形状）に形成されている。また、開閉維持部３６は、蓋部３２を分岐線挿通孔部２８を開放した開状態又は閉じた閉状態に維持するための部分である。この開閉維持部３６は、幹線収容部２０の第１保持部２４又は分岐延出部３２の後述する第２保持部３６によって保持された状態で、蓋部３２を開閉状態に維持可能である（図６、図７、図９、図１０参照）。
【００３２】
そして、蓋部３２は、分岐線挿通孔部２８の開口縁部の一部に連続して形成されている（図２〜図４参照）。より具体的には、蓋部３２は、本体部３４の一端縁部が分岐線挿通孔部２８の開口縁部の一辺に対してヒンジ部３８により連結されている。ここでは、ヒンジ部３８は、両側部の蓋部３２の本体部３４及び幹線収容部２０の本体部２２より肉薄に形成されている。
【００３３】
分岐延出部４２は、分岐線収容部３０の一部分を形成している（図６、図７参照）。この分岐延出部４２は、本体部４４と、第２保持部４６とを有している。分岐延出部４２の本体部４４は、分岐線挿通孔部２８の開口縁部から幹線収容部２０の側方に延出する形状に形成されている。より具体的には、本体部４４は、分岐線１６の配索経路に沿って延出する筒形状（ここでは略角筒形状）に形成されている。また、本体部４４には、側部において内外方向に貫通する開口部４８が形成されている（図１、図３参照）。この開口部４８は、内側に蓋部３２を配設可能な形状（ここでは、蓋部３２の本体部３４より僅かに大きい大きさの矩形状）で、蓋部３２によって開閉可能に形成されている。また、開口部４８は、分岐線挿通孔部２８と同じ形状及び大きさに形成されていることが好ましい。すなわち、蓋部３２は、分岐延出部４２の開口部４８を閉じる姿勢（図６、図７参照）と、分岐線挿通孔部２８を閉じる姿勢（図９、図１０参照）とで姿勢変更可能に形成されている。換言すると、蓋部３２は、分岐線挿通孔部２８及び開口部４８の両方を選択的に閉じることが可能である。そして、分岐延出部４２と蓋部３２とは、蓋部３２が開口部４８を閉じる姿勢で、分岐線収容部３０を構成する。
【００３４】
また、第２保持部４６は、蓋部３２を開状態に維持する部分であり、蓋部３２の開閉維持部３６を保持可能に形成されている。
【００３５】
以下、開閉維持部３６と、第１保持部２４及び第２保持部４６との形状及び関係について説明する。開閉維持部３６は、蓋部３２の本体部３４のうちヒンジ部３８とは反対側の端部から張り出す略Ｌ字棒形状に形成されている。より具体的には、開閉維持部３６は、先端側部分が本体部３４のうちヒンジ部３８とは反対側の端縁部に沿って延在するように設けられている。また、開閉維持部３６は、延在方向に直交する断面視において円形状に形成されている。第１保持部２４は、幹線収容部２０の本体部２２の側部のうち分岐線挿通孔部２８のヒンジ部３８とは反対側の側方の位置から外方に突出する形状に形成されている。また、第２保持部４６は、分岐延出部４２の本体部４４の側部のうち開口部４８のヒンジ部３８とは反対側の側方の位置から外方に突出する形状に形成されている。第１保持部２４及び第２保持部４６は、開閉維持部３６の先端側部分を嵌め込み可能な溝状に形成されている。より具体的には、第１保持部２４及び第２保持部４６は、開閉維持部３６の先端側部分の延在方向に直交する断面視において略Ｃ字形状に形成されている。すなわち、第１保持部２４及び第２保持部４６は、奥側に開閉維持部３６を配設可能な空間を有し、奥側より開口側が狭くなっている。そして、第１保持部２４及び第２保持部４６は、開口を通じて嵌め込まれる開閉維持部３６を奥側の空間内に配設した状態で保持する。
【００３６】
また、分岐延出部４２は、幹線収容部２０から切り離し可能に形成されている。すなわち、保護対象部分に分岐線１６を含まない第２ワイヤーハーネス１２２を保護する場合、分岐線１６を収容する部分は不要である。そこで、第２ワイヤーハーネス１２２を保護する場合に不要な分岐延出部４２を、切断用の機器を用いずとも手作業で除去可能に形成されている。より具体的には、分岐延出部４２と幹線収容部２０との境界部分５２には、破線状（ミシン目状）に複数の切取孔部５４が形成されている（図４、図５参照）。この複数の切取孔部５４は、境界部分５２の全周に亘って形成され、分岐延出部４２及び幹線収容部２０の内外方向に貫通している。また、分岐延出部４２と幹線収容部２０との境界部分５２は、薄肉に形成されている。より具体的には、分岐延出部４２が分岐延出部４２と幹線収容部２０との境界部分に向けて徐々に薄肉になるように形成されている。ここでは、分岐延出部４２と幹線収容部２０との境界部分には、外周側に開口して延在方向に直交する断面視において楔形状の切取溝部５６が形成されている。
【００３７】
また、プロテクタ１０は、合成樹脂材料を用いて射出成型等により形成される第１部材１０１と第２部材１０２とを組み合わせて形成されている。ここでは、第１部材１０１は、ワイヤーハーネス１２１、１２２を主として収容する溝状の部材である。すなわち、底部と対向する一対の側壁部とを有する形状である。この第１部材１０１は、第１保持部２４を含む幹線収容部２０の底側の部分と、第２保持部４６を含む分岐延出部４２の底側の部分と、蓋部３２とを構成している。また、第２部材１０２は、第１部材１０１の一対の側壁部の先端部間の開口を塞ぐ蓋状の部材である。この第２部材１０２は、幹線収容部２０の天井側の部分と、分岐線収容部３０の天井側部分とを構成している。
【００３８】
そして、プロテクタ１０は、以下のようにして使用される。まず、保護対象部分に分岐線１６を含む第１ワイヤーハーネス１２１を保護する場合には、第１部材１０１内に第１ワイヤーハーネス１２１を配設する。より具体的には、第１ワイヤーハーネス１２１のうちの幹線１４を幹線収容部２０内に収容すると共に、分岐線１６を分岐線収容部３０内に収容する。この状態で、第１部材１０１の一対の側壁部の先端部間の開口を第２部材１０２により塞ぐ。さらに、蓋部３２を分岐延出部４２の開口部４８を閉じる位置に姿勢変更させて開閉維持部３６を第２保持部４６に嵌め込む（図６、図７参照）。なお、蓋部３２の閉じ作業は、第１ワイヤーハーネス１２１を第１部材１０１内に収容する前後の段階で行ってもよい。
【００３９】
また、保護対象部分に分岐線１６を含まない第２ワイヤーハーネス１２２を保護する場合には、第１部材１０１内に第２ワイヤーハーネス１２２を配設する。より具体的には、第２ワイヤーハーネス１２２を幹線収容部２０内に収容する。この状態で、第１部材１０１の開口を第２部材１０２により塞ぐ。さらに、分岐延出部４２を、分岐延出部４２と幹線収容部２０との境界部分５２で幹線収容部２０から切り離す（図８参照）。そして、蓋部３２を幹線収容部２０の分岐線挿通孔部２８を閉じる位置に姿勢変更させて開閉維持部３６を第１保持部２４に嵌め込む（図９、図１０参照）。なお、分岐延出部４２の切り離し作業及び蓋部３２の閉じ作業は、第２ワイヤーハーネス１２２を第１部材１０１内に収容する前後の段階で行ってもよい。
【００４０】
上記実施形態に係るプロテクタ１０によると、分岐線１６を含む第１ワイヤーハーネス１２１を保護する場合には、幹線１４を幹線収容部２０内に収容すると共に分岐線１６を分岐線挿通孔部２８に挿通して蓋部３２により分岐線挿通孔部２８を開状態に維持し、分岐線１６を含まない第２ワイヤーハーネス１２２を保護する場合には、幹線１４を幹線収容部２０内に収容して蓋部３２により分岐線挿通孔部２８を閉じた状態にする。これにより、プロテクタ１０の内部への異物の侵入を抑制しつつ、仕様違いのワイヤーハーネス１２１、１２２を保護できるようにすることができる。
【００４１】
また、蓋部３２が分岐線挿通孔部２８に連続して形成されているため、金型成型する部品点数をなるべく少なくすることができる。
【００４２】
また、蓋部３２が、分岐延出部４２の開口部４８を閉じる姿勢と、分岐線挿通孔部２８を閉じる姿勢とで姿勢変更可能に形成されて、分岐線挿通孔部２８を閉じる役割と分岐線収容部３０の一部分を構成する役割とを兼ねるため、分岐線１６を含まない第２ワイヤーハーネス１２２を保護する場合に余分な部分をなるべく小さくすることができる。
【００４３】
また、分岐延出部４２が幹線収容部２０から切り離し可能に形成されているため、分岐線１６を含まない第２ワイヤーハーネス１２２を保護する場合に余分な分岐延出部４２を幹線収容部２０から切り離して使用することができる。
【００４４】
また、分岐延出部４２と幹線収容部２０との境界部分５２に破線状に複数の切取孔部５４が形成されているため、分岐延出部４２を境界部分５２でより容易に切り離すことができる。
【００４５】
さらに、分岐延出部４２と幹線収容部２０との境界部分５２に切取溝部５６が形成されて該境界部分５２が他の部位より肉薄になっているため、分岐延出部４２を境界部分５２でより容易に切り離すことができる。
【００４６】
これまで、保護対象部分に分岐部分を含む第１ワイヤーハーネス１２１の例として幹線１４から１本の分岐線１６が分岐して形成されているものの説明してきたが、プロテクタは、保護対象部分に幹線１４から複数本の分岐線が分岐して形成されるワイヤーハーネスを保護するものであってもよい。
【００４７】
また、プロテクタ１０が分岐延出部４２を有する例で説明してきたが、プロテクタは分岐延出部４２が省略された構成であってもよい。すなわち、プロテクタは、幹線収容部２０と蓋部３２とで構成され、分岐線１６を含む第１ワイヤーハーネス１２１を保護する場合には分岐線挿通孔部２８を通じて幹線収容部２０の外方に分岐線１６を延出させるとよい。
【００４８】
蓋部３２が分岐線挿通孔部２８の開口縁部の一部に連続して形成されている例で説明してきたが、蓋部は、別体のヒンジを接着又はネジ止め等して幹線収容部２０に連結されていてもよいし、幹線収容部２０に対して着脱可能に別体で形成されていてもよい。なお、別体の蓋部が幹線収容部２０に対して着脱可能に形成される例としては、分岐線挿通孔部の開口縁部に内周側に向けて開口する溝部を形成し、該溝部に板状の蓋部を挿入することにより取り付け可能に構成されてもよい。また、蓋部は、分岐延出部に連続して形成されると共に、分岐延出部から切り離し可能に形成されていてもよい。例えば、蓋部を分岐延出部から切り離し可能な形状としては、境界部分に破線状に複数の切取孔部を形成又は境界部分を他の部分より薄肉に形成することができる。なお、この境界部分は、ヒンジ部３８より破断し易く形成されていることが好ましい。
【００４９】
また、分岐延出部４２と幹線収容部２０との境界部分５２が薄肉に形成される形状として、該境界部分５２で外周側に開口する切取溝部５６が形成される例を説明してきたが、境界部分の形状はこれに限られるものではない。例えば、図１１、図１２に示すように、分岐延出部４２と幹線収容部２０との境界部分１５２に内周側に開口する切取溝部１５６が形成されることにより、該境界部分１５２が薄肉に形成されていてもよい。すなわち、分岐延出部１４２は、分岐延出部１４２と幹線収容部２０との境界部分１５２に向けて徐々に薄肉になるように形成される。
【００５０】
また、分岐延出部４２と幹線収容部２０との境界部分５２は、分岐延出部４２を幹線収容部２０から切り離し可能に形成されていればよく、複数の切取孔部５４及び切取溝部５６のどちらか一方だけが形成されていてもよい。
【００５１】
以上のように、プロテクタ１０は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００５２】
１０  プロテクタ
１２１  第１ワイヤーハーネス
１２２  第２ワイヤーハーネス
１４  幹線
１６  分岐線
２０  幹線収容部
２８  分岐線挿通孔部
３０  分岐線収容部
３２  蓋部
３６  開閉維持部
４２  分岐延出部
５２、１５２  境界部分
５４  切取孔部
【図１】
2014110722.tif 000003
【図２】
2014110722.tif 000004
【図３】
2014110722.tif 000005
【図４】
2014110722.tif 000006
【図５】
2014110722.tif 000007
【図６】
2014110722.tif 000008
【図７】
2014110722.tif 000009
【図８】
2014110722.tif 000010
【図９】
2014110722.tif 000011
【図１０】
2014110722.tif 000012
【図１１】
2014110722.tif 000013
【図１２】
2014110722.tif 000014